(57)【要約】【課題】半導体装置を気密パッケージングする際、簡易的に形成可能なアライメント用の凹凸構造を用いることにより量産が可能な半導体装置の製造方法等を提供する。【解決手段】半導体素子部が形成された半導体基板の前記半導体素子部の周囲一周上に局所的に第１の封止材を塗布する工程と、前記半導体基板に、間に前記半導体素子部を格納する気密な中空部を形成するように被せられるキャップ基板の前記半導体素子部の周囲一周に対向する周囲一周のうちの前記半導体基板の前記第１の封止材の塗布部分以外の残りの箇所に第２の封止材を塗布する工程と、前記半導体基板と前記キャップ基板とを、それぞれ塗布された前記第１および第２の封止材を位置合わせ用のアライメントマークとして接合する工程とを備えた。【選択図】図４
2015115479.tif 000002
【特許請求の範囲】
【請求項１】
半導体素子部が形成された半導体基板の前記半導体素子部の周囲一周上に局所的に第１の封止材を塗布する工程と、
前記半導体基板に、間に前記半導体素子部を格納する気密な中空部を形成するように被せられるキャップ基板の前記半導体素子部の周囲一周に対向する周囲一周のうちの前記半導体基板の前記第１の封止材の塗布部分以外の残りの箇所に第２の封止材を塗布する工程と、
前記半導体基板と前記キャップ基板とを、それぞれ塗布された前記第１および第２の封止材を位置合わせ用のアライメントマークとして接合する工程と、
を備えたことを特徴とする半導体装置の製造方法。
【請求項２】
前記半導体基板およびキャップ基板のそれぞれの前記第１および第２の封止材を塗布する工程において、前記半導体基板へは回路配線部を含む領域以外の領域に前記第１の封止材を塗布し、前記キャップ基板へは前記第１の封止材の塗布部分以外の残りの領域に前記第２の封止材を塗布することを特徴とする請求項１に記載の半導体装置の製造方法。
【請求項３】
前記半導体基板および前記キャップ基板の前記第１の封止材および第２の封止材を塗布するそれぞれの工程において、前記第１および第２の封止材がスクリーン印刷を用いてパターニングされることを特徴とする請求項１または２に記載の半導体装置の製造方法。
【請求項４】
前記キャップ基板に塗布する第２の封止材のペーストは低融点ガラスを含有していることを特徴とする請求項１から３のいずれか１項に記載の半導体装置の製造方法。
【請求項５】
前記半導体基板に塗布する第１の封止材のペーストはガラス、樹脂、ハンダを含有していることを特徴とする請求項１から４のいずれか１項に記載の半導体装置の製造方法。
【請求項６】
複数の前記半導体基板が形成された半導体ウエハおよび複数の前記キャップ基板が形成されたキャップウエハの各前記半導体基板および各前記キャップ基板に対して同時に処理を行うことを特徴とする請求項１から５のいずれか１項に記載の半導体装置の製造方法。
【請求項７】
前記半導体基板が高周波回路用のものであることを特徴とする請求項１から６のいずれか１項に記載の半導体装置の製造方法。
【請求項８】
半導体素子部が形成された半導体基板と、
前記半導体基板に、間に前記半導体素子部を格納する気密な中空部を形成するように被せられたキャップ基板と、
前記半導体基板の前記半導体素子部の周囲一周上に局所的に塗布された第１の封止材、および前記キャップ基板の前記半導体素子部の周囲一周に対向する周囲一周のうちの前記半導体基板の前記封止材の塗布部分以外の残りの箇所に塗布された第２の封止材からなる前記半導体基板と前記キャップ基板を接合する封止部と、
を備えたことを特徴とする半導体装置。
【発明の詳細な説明】
【技術分野】
【０００１】
この発明は、半導体装置の製造方法等に関する。
【背景技術】
【０００２】
半導体装置の例えば、高周波デバイス(高周波半導体装置)等では、耐湿や素子性能を維持するために半導体素子周辺部が中空かつ気密になった封止構造が求められる。従来のパッケージ方法はセラミックキャップなどを用いて、半導体素子全体及びその周辺配線も含めたデバイス全体をパッケージングしており、配線引き回しが難しく、材料や製造コストが高価になるという問題があった。この問題に対し、現在、半導体基板内に形成された半導体素子部のみを中空気密封止し、小型化、低コスト化が可能なウエハレベルでのパッケージ技術の開発が行われている。
【０００３】
ウエハレベルでのパッケージングでは、それぞれに半導体素子が形成された複数の半導体基板が形成された基板(半導体ウエハ)を封止材とキャップ基板を用いて封止を行っているが、半導体基板とキャップ基板は半導体素子が確実に封止されるような位置関係である必要があり、両基板のアライメントが必要である。アライメントの方法は例えば、下記特許文献１のように両基板に形成されたアライメントマークをカメラで認識させ位置合わせを行う方法がある。カメラでのアライメントを用いた場合、アライメント装置が必要で、アライメントに要する時間、接合装置へのサンプル搬送時間など、装置コスト、タクトタイムの課題もあり、アライメント工程を簡略化する方法が求められていた。
【０００４】
そこで、下記特許文献２、３のように両基板に凹凸を形成し、それらを嵌め合せて、位置合わせを行うことにより、アライメント装置を用いずにアライメントを実施することでアライメントを簡略化することができる。
【先行技術文献】
【特許文献】
【０００５】
【特許文献１】特開２０１１−１３４８４８号公報
【特許文献２】特開２００６−３０５６５５号公報
【特許文献３】特開２０１１−４５９８１号公報
【発明の概要】
【発明が解決しようとする課題】
【０００６】
キャップ基板や半導体基板に微細な凹凸を形成する方法として、機械加工やエッチングによる加工方法がある。機械加工の場合は、研削機械でキャップ基板や半導体基板を加工することになるが、キャップや半導体に使用される基板の厚さは非常に薄いために、基板割れやひびなど基板へのダメージが避けられない。また、加工機械の金属部や研削屑による汚染など、デバイス特性への影響も懸念される。
【０００７】
このため、半導体プロセスでの基板形状の加工では一般的にはエッチングが用いられる。エッチング工程で凹凸を形成するには、レジストや成膜により耐エッチングマスクが形成された基板に、プラズマによるドライエッチングや薬液によるウェットエッチングにて加工が施され、最後に耐エッチングマスクを除去することで成形することができる。このように半導体プロセスにおいては、機械加工より、エッチングによる基板の加工の方が適している。ただし、エッチング工程は、金属汚染の防止や微細な加工ができる反面、処理に時間を要する。
【０００８】
また、キャップ基板と半導体基板に突起や凹みを形成することは、加工前の基板はその凹凸部の高さや深さ以上の厚さが必要であり、基板を削ることで成形していため、削られた部分は余剰な材料となる。
【０００９】
このように精密な機械加工やエッチング工程を用いた凹凸構造の形成では、高精度の加工自体は可能であるが、プロセスの複雑化、長時間化、材料コストの増加の課題がある。
【００１０】
この発明は、上記の課題を解決するためになされたものであり、半導体装置(デバイス)を気密パッケージングする際、簡易的に形成可能なアライメント用の凹凸構造を用いることにより、量産性に優れた半導体装置の製造方法等を得ることを目的とする。
【課題を解決するための手段】
【００１１】
この発明は、半導体素子部が形成された半導体基板の前記半導体素子部の周囲一周上に局所的に第１の封止材を塗布する工程と、前記半導体基板に、間に前記半導体素子部を格納する気密な中空部を形成するように被せられるキャップ基板の前記半導体素子部の周囲一周に対向する周囲一周のうちの前記半導体基板の前記第１の封止材の塗布部分以外の残りの箇所に第２の封止材を塗布する工程と、前記半導体基板と前記キャップ基板とを、それぞれ塗布された前記第１および第２の封止材を位置合わせ用のアライメントマークとして接合する工程と、を備えたことを特徴とする半導体装置の製造方法等にある。
【発明の効果】
【００１２】
この発明では半導体装置(デバイス)を気密パッケージングする際、簡易的に形成可能なアライメント用の凹凸構造を用いることにより、量産が可能になる。
【図面の簡単な説明】
【００１３】
【図１】この発明の実施の形態１、２による高周波デバイスの製造方法を説明するための正面図である。
【図２】この発明の実施の形態１、２による高周波デバイスの製造方法を説明するための正面図である。
【図３】この発明の実施の形態１、２による高周波デバイスの製造方法を説明するための正面図と断面図である。
【図４】この発明の実施の形態１、２による高周波デバイスの製造方法を説明するための正面図と断面図である。
【図５】この発明の実施の形態１、２による高周波デバイスの製造方法を説明するための正面図と断面図である。
【図６】この発明の実施の形態３による高周波デバイスの製造方法を説明するための正面図である。
【図７】この発明の実施の形態３による高周波デバイスの製造方法を説明するための正面図である。
【発明を実施するための形態】
【００１４】
この発明による半導体装置の製造方法では、気密封止により高周波デバイスの耐湿性を向上させ、デバイス上面部を中空にすることで高周波特性を維持することができる。封止構造を形成するためにアライメント用の凹凸構造を利用するが、封止材の塗布により凹凸構造を形成するため、凹凸構造の形成が容易となり、アライメントに利用した凹凸構造自体も封止壁として使用されるため、アライメントのために必要な材料が不要となり、材料コストの低減も可能となる。
【００１５】
以下、この発明による半導体装置の製造方法等を各実施の形態に従って図面を用いて説明する。なお、各実施の形態において、同一もしくは相当部分は同一符号で示し、重複する説明は省略する。なお、以下では高周波デバイス(高周波回路用の半導体装置)の製造方法を例に挙げて説明するが、この発明は以下の各実施の形態に限定されるものではなく、各種半導体装置の製造に適用可能である。
【００１６】
実施の形態１．
図１から３はこの発明の実施の形態１、２による高周波デバイスの製造方法を説明するための図であり、図１は半導体基板の正面図、図２は、封止材により形成される封止部を説明するための半導体基板の正面図である。図３は半導体基板とキャップ基板が接合された高周波デバイスの状態を示す図であり、(ａ)が正面図、(ｂ)は(ａ)のＡ−Ａ’線に沿った断面図、(ｃ)は(ａ)のＢ−Ｂ’線に沿った断面図である。
【００１７】
この実施の形態では被封止基板に配線が設置されている高周波デバイスについて説明するが、ＭＥＭＳ(Micro Electro Mechanical Systems )などの、気密封止を要するその他の機能デバイスの場合であっても、半導体基板を、例えばＭＥＭＳであれば、センサ可動部を有する機能デバイスに置き換えることにより、この発明を適用することができる。
【００１８】
高周波デバイスは、図１のようにＳｉ、ＧａＡｓ、ＳｉＣ、サファイアなどの半導体基板１にＭＯＣＶＤ(Metal Organic Chemical Vapor Deposition)やＭＢＥ(Molecular Beam Epitaxy )にてＧａＮバッファ層、ＡｌＧａＮバリア層、ＧａＮキャップ層が形成され、その上部に電子ビーム蒸着やリフトオフによりソース、ドレイン、ゲート電極が形成された構造となっている。
【００１９】
以上により形成された半導体素子部であるトランジスタ部５は、湿性による腐食により性能が低下する恐れがあるため、トランジスタが形成された領域は耐湿性を確保する必要がある。また、高周波性能を維持するためにはトランジスタ上部は中空である必要がある。このため、図２に示す半導体基板１の上面図ように、このトランジスタ部５を囲うように封止部４を枠状に形成する。なお、囲い枠状に形成された封止部４の長辺方向の部分は、トランジスタ部５用の電極および配線を含む配線パターンである回路配線２と交差しており(回路配線２の長手方向に対して直交するように形成されている)、一部、回路配線２を跨ぐ箇所が存在する。また、封止部４の短辺方向の部分は、半導体基板１の平坦な部分の上に形成されており、長辺方向の部分のように半導体基板１に回路配線２はない。
【００２０】
封止部４上に接合されるキャップ基板３(図３参照)の候補としてはガラス基板が挙げられるが、この他にも半導体基板１のようなＳｉ、ＧａＡｓ、ＳｉＣ、サファイアなどでも代用可能であり、被封止基板である半導体基板１の性状や線膨張係数などの整合性により適時変更、選択が可能である。また、半導体基板１とキャップ基板３の封止材塗布領域(封止部４の領域に相当)や基板全体に微小凹凸が形成された基板を使用することにより、その接合面積が増加し接合強度の向上を図ることができる。
【００２１】
キャップ基板３は図３の(ａ)のような位置に形成されており、その大きさは半導体基板１と同等かそれ以下の寸法となっている。図３では、キャップ基板３は半導体基板１の内側中央に形成されたトランジスタ部５より一回り大きい寸法となっており、図３の(ｂ)、(ｃ)の断面図に示すように、トランジスタ部５を覆うように配置されている。
【００２２】
続いて、この発明における高周波デバイスの製造方法を説明する。図４，５もこの発明の実施の形態１、２による高周波デバイスの製造方法を説明するための図であり、図４は封止部４を形成するための半導体基板１側の第１の封止材４ｂを説明するための図であり、(ａ)が半導体基板１の正面図、(ｂ)が(ａ)のＣ−Ｃ’線に沿った断面図である。また図５は封止部４を形成するためのキャップ基板３側の第２の封止材４ａを説明するための図であり、(ａ)がキャップ基板３の裏面からの正面図、(ｂ)が(ａ)のＤ−Ｄ’線に沿った断面図である。半導体基板１とキャップ基板３の接合時に第１の封止材４ｂと第２の封止材４ａが組み合わされて封止部４が形成される。
【００２３】
まず、図５で示すように、キャップ基板３に封止材４ａの塗布を行う。封止材４ａの形成は、ディスペンサー、インクジェット、転写シート、スクリーン印刷等を用いた方法があり、封止材４ａの塗布が実施できれば、どのような方法でも形成できる。この実施の形態１では、転写シートを使用した場合について説明する。転写シートとは、剥離可能な樹脂フィルムに所望の塗布パターンが形成されており、シートを被塗布基板に密着させ、加熱、押圧後にシートを引き離すことで、封止材をパターニングする方法である。
【００２４】
封止材種類としては、樹脂、ガラス、ハンダ等を含有する接合材料があるが、この実施の形態のように封止材４ａが回路配線２を跨ぐような構造では導電性をもつハンダは使用できない。また、気密性を考慮するとガス透過性のある樹脂も使用できないため、絶縁性と気密性の両方を備えたガラス材料を用いることが望ましい。なお、ペーストに含有されている溶剤、樹脂は後の接合工程の乾燥、焼成の熱プロセスにより消失する。
【００２５】
ガラスペーストは主にガラスフリット、樹脂、溶剤と熱膨張調整用フィラーで構成されている。ガラスペーストの融点はガラスフリット材の種類やその他配合材料により決まるが、トランジスタ部５が形成された半導体基板１は高温プロセスを通すと、その特性を大きく低下させることから、低融点材料のものを使用しなければならない。さらに、環境や健康問題、欧州のＲｏＨＳ指令への対応のため、Ｐｂ(鉛)フリーである必要もある。そこで例えば、融点が３００〜５００℃とガラス材の中でも比較的低融点なバナジウム系ガラス材料を用いる。
【００２６】
半導体基板１への塗布パターンは、例えば図４の(ａ)に示すように、図２の囲い枠状の封止部４(半導体素子部５の周囲一周分)の塗布領域のうち、回路配線部を含む領域以外の領域、例えば回路配線２が無い四隅に第１の封止材４ｂを塗布する。図４の(ａ)の封止材４ｂのように、回路配線２の部分の凹凸部への塗布を避けることにより、塗布時の信頼性が向上する。塗布パターンは円形や十字形状、Ｌ字、コの字など、後にキャップ基板３へ第２の封止材４ａを塗布するパターンと嵌め合わされて、トランジスタ部５の周囲を一周に渡って囲む図２の枠状の封止部４の形状となれば、どのような形状でもよく、塗布箇所も２か所以上あれば、アライメントと封止は可能である。また、半導体基板１側へ塗布する封止材４ｂの場合は、周りがガラスペーストで覆われるため、デバイス構成上、問題がない場合は樹脂やハンダを使用することも可能である。
【００２７】
以上のことから、回路配線２を跨ぐキャップ基板３側の第２の封止材４ａのペーストとしては、低融点ガラスを含有しているものが有用である。また、回路配線２と接触しない半導体基板１側の第１の封止材４ｂのペーストとしては、例えば一般的な樹脂、ガラス、ハンダを含有しているものを使用する。
【００２８】
キャップ基板３への第２の封止材４ａの塗布パターンは、図５に示すように図２の囲い枠形状の封止部４のうち、図４の半導体基板１へ塗布した封止材４ｂの部分以外(回路配線部を含む領域)を塗布できるようなパターンとなっており、その封止材４ｂに対応する図５の封止材の非塗布領域４ｃは、封止材が塗布されない。これらにより半導体、キャップの両基板１，３をアライメントするための凹凸形状が形成され、アライメント装置や精密機械加工、エッチング装置などを用いずにペースト塗布のみで、両基板のアライメントが可能となる。
【００２９】
最後に接合について説明する。封止材(４ａ，４ｂ)を塗布したキャップ基板３、半導体基板１の封止材が塗布された面同士を向い合せ、重ねる。この時、図４の半導体基板１に塗布した第１の封止材４ｂをアライメントマークとし、キャップ基板３の非塗布領域４ｃの凹部を封止材４ｂの凸部に嵌め込むことで、囲い枠状の封止部４が形成されながらキャップ基板３が図３の(ｂ)(ｃ)に示すように、半導体基板１に間に中空部１０を形成するように固定される。また、重ね合わせた両基板(１，３)は接合装置へ搬送する場合でも位置ずれすることなく、搬送が可能である。これら重ね合わせた基板(１，３)を両面から加熱しながら押圧できるホットプレス装置を用いて、使用したガラスペーストに適した焼成プロファイル用いることにより封止が完成する。
【００３０】
以上により高周波デバイスのトランジスタ部の耐湿性確保と高周波特性を維持することが可能となった封止構造を製造することができる。また、封止構造を確実に形成するためにアライメント用の凹凸構造を利用するが、この発明により、従来の機械加工や化学エッチングと比べて、凹凸構造の形成が容易となる。さらに、アライメントに利用した凹凸構造自体も封止壁として使用されるため、アライメントのために必要な材料が不要になることや研削による基板加工が不要なため、初期の基板厚も薄板化可能となり材料コストを低減できる。
【００３１】
封止構造の囲い枠を形成する材質としてガラスペーストを用いることにより、封止材がデバイス用の引き出し配線を跨ぐ場合であっても、ペーストの流動性より配線の細部までペーストを充填できる。また、ガラス封止材は樹脂による封止とは違い、高い気密性を有するだけでなく、絶縁性も備えていることから、ハンダ封止と異なり、回路配線上への塗布も可能である。
【００３２】
実施の形態２．
なお、上記実施の形態１では転写シートを用いた方法で第１および第２の封止材４ｂ，４ａの塗布を行ったが、より量産性に優れた封止材のパターニング方法として、スクリーン印刷を用いた方法がある。スクリーン印刷を用いることにより、製造コスト低減やタクトタイムの短縮が可能となり、印刷パターンもデバイス設計に合わせて印刷マスクを変更するのみで、容易に変更できるため汎用性も高い。ただし、スクリーン印刷を用いた印刷の場合も実施の形態１と同様、被塗布基板(例えば半導体基板１)にデバイス用の配線などの段差が多数存在すると、印刷用マスクと被塗布基板の接触状態が悪くなり、段差部周辺における印刷性が悪化し、印刷不良が発生しやすくなる。そこで、回路配線のような段差が形成された半導体(デバイス)基板へ封止材を塗布する際は、回路配線が形成された領域を避けて、平坦な領域に一部の封止材を塗布し、封止壁として必要な残りの領域の部分をキャップ基板に塗布することで、印刷不良を避けて、封止構造を形成することができる。
【００３３】
実施の形態３．
また上記実施の形態１、２では、ウエハより半導体基板、キャップ基板がダイシングされた基板に対して封止構造を形成する方法を説明したが、図６、図７に示すような半導体基板とキャップ基板がダイシング前のウエハの状態でもこの発明を適用することができる。図６、図７はこの発明の実施の形態３による高周波デバイスの製造方法を説明するための図であり、図６は複数の半導体基板が形成された半導体ウエハの正面図、図７は複数のキャップ基板が形成されたキャップウエハの正面図である。
【００３４】
スクリーン印刷の塗布パターンは印刷マスクのパターンを変更するのみで対応可能である。図６に示すように、複数の半導体基板が形成された半導体ウエハ６内の形成された各トランジスタ部５の周囲一周の封止部うちの図４の(ａ)と同様に封止部の一部を第１の封止材４ｂとして塗布する。次に、図７の複数のキャップ基板が形成されたキャップウエハ７内の各キャップ基板の部分に図５の(ａ)と同様に非塗布領域４ｃのある第２の封止材４ａを塗布する。これら基板の封止材４ｂ，４ａの凹凸を嵌合させ、ホットプレスにて接合させる。接合された基板を最後にダイシングすることにより、チップを分離し、気密封止された中空部が形成された半導体装置(デバイス)が完成する。
【００３５】
なお、上記の製造方法で製造された半導体装置は、キャップ基板や半導体基板に凹凸を形成する必要がなく、機械加工が不要なため、キャップ基板や半導体基板に使用される基板の厚さを薄くできるため、薄型化、小型化が可能となる。
【符号の説明】
【００３６】
１  半導体基板、２  回路配線、３  キャップ基板、４  封止部、４ｂ  第１の封止材、４ａ  第２の封止材、４ｃ  非塗布領域、５  トランジスタ部(半導体素子部)、６  半導体ウエハ、７  キャップウエハ、１０  中空部。
【図１】
2015115479.tif 000003
【図２】
2015115479.tif 000004
【図３】
2015115479.tif 000005
【図４】
2015115479.tif 000006
【図５】
2015115479.tif 000007
【図６】
2015115479.tif 000008
【図７】
2015115479.tif 000009